(57)【要約】  【課題】待機中の携帯電話において、複数の基地局からの距離が等しい地域などに存在する場合、頻繁に位置登録を行うため、消費電力が大きくなる。  【解決手段】携帯電話は、利用者が頻繁に通過する経路を記憶し、経路上で複数の基地局からの距離が等しく位置登録の起こりやすい地域を通過する場合に、位置登録を省略するように、予め経路上の各地点とその地点で位置登録メモリ装置に通知されているべき基地局とを関係付けたテーブルを生成し、生成したテーブルに従って位置登録を行う。【選択図】  図１
2006060710.tif 000002
【特許請求の範囲】
【請求項１】
無線通信端末であって、
所定の移動経路上の各地点について、当該地点を含むセルを示すセル情報を予め記憶している記憶手段と、
現在位置を取得する取得手段と、
取得された現在位置が前記移動経路上のいずれかの一地点である場合に、前記記憶手段に記憶されている各セル情報に基づいて、位置管理装置に対してセル情報を通知するか否かを判断する判断手段と、
通知すると判断される場合に、位置管理装置に対して当該地点を含むセルを示すセル情報を通知し、通知しないと判断される場合に前記通知を禁止する通知制御手段と
を備えることを特徴とする無線通信端末。
【請求項２】
前記判断手段は、取得された現在位置に対応する地点についてのセル情報を前記記憶手段から抽出し、抽出した前記セル情報と、現時点で前記位置管理装置により自機が存在するとされているセルを識別するセル情報とを比較し、異なる場合に、前記位置管理装置に対して通知すると判断する
ことを特徴とする請求項１に記載の無線通信端末。
【請求項３】
前記判断手段は、
前記取得手段により取得された現在位置に相応する第１地点についての第１セル情報を、前記記憶手段から抽出する第１抽出部と、
前記移動経路上において、前記第１地点の直前の第２地点についての第２セル情報を前記記憶手段から抽出する第２抽出部と、
抽出された前記第１セル情報と前記第２セル情報とを比較し、異なる場合に、前記位置管理装置に対して通知すると判断する判断部と
を含むことを特徴とする請求項１に記載の無線通信端末。
【請求項４】
前記記憶手段により記憶されている各地点についてのセル情報は、前記移動経路に沿った移動に伴って記憶されたものであり、各セル情報は、対応する地点以降において当該無線通信端末の位置を当該セルにより管理すべきことを示し、前記記憶手段は、各地点の通過時の地点時刻を含み、
前記無線通信端末は、さらに、
前記記憶手段により記憶されている各セル情報を用いて、前記移動経路上の２地点を結ぶ区間において、同一セルにより管理すべきものであるか否かを判断し、
同一セルにより管理すべきものであると判断される場合に、各地点時刻を用いて、前記区間内の移動に要する移動時間を算出し、
算出された移動時間が、所定値以下である場合に、前記区間内の地点についてのセル情報を、前記区間に隣接する地点についてのセル情報に書き換える書換手段を含む
ことを特徴とする請求項１に記載の無線通信端末。
【請求項５】
前記記憶手段により記憶されている各地点についてのセル情報は、前記移動経路に沿った移動に伴って、一定時間間隔で記憶されたものであり、各セル情報は、対応する地点以降において当該無線通信端末の位置を当該セルにより管理すべきことを示し、
前記無線通信端末は、さらに、
前記記憶手段により記憶されている各セル情報を用いて、前記移動経路上の２地点を結ぶ区間において、同一セルにより管理すべきものであるか否かを判断し、
同一セルにより管理すべきものであると判断される場合に、前記区間に含まれる地点の個数が所定値以下である場合に、前記区間内の地点についてのセル情報を、前記区間に隣接する地点についてのセル情報に書き換える書換手段を含む
ことを特徴とする請求項１に記載の無線通信端末。
【請求項６】
前記無線通信端末は、さらに、
複数のセルについて、当該セルを示すセル情報と当該セルに対応する無線基地局が存在する基地局位置とを対応付けて記憶している配置記憶手段と、
自機の存在位置を取得する位置取得手段と、
前記位置取得手段により取得された存在位置に最も近い位置に存在する無線基地局に対応するセル情報を前記配置記憶手段から抽出し、抽出したセル情報を前記記憶手段に書き込む書込手段と
を含むことを特徴とする請求項１に記載の無線通信端末。
【請求項７】
前記無線通信端末は、さらに、
１以上の無線基地局からの制御信号を受信する受信手段と、
自機の存在位置を取得する位置取得手段と、
前記位置取得手段により取得された存在位置において、最も受信強度の強い制御信号を送信する無線基地局を選択し、選択した無線基地局に対応するセル情報を前記記憶手段に書き込む書込手段と
を含むことを特徴とする請求項１に記載の無線通信端末。
【請求項８】
無線通信端末であって、
無線通信端末の移動速度に対応して、所定の閾値を記憶している記憶手段と、
１以上の無線基地局からの制御信号を受信する受信手段と、
当該無線通信端末の移動速度を取得する速度取得手段と、
取得した移動速度に対応する閾値を前記記憶手段から読み出し、読み出した閾値以上の時間間隔をあけて、当該無線通信端末の存在するセルを示すセル情報を位置管理装置へ通知する通知手段と
を備えることを特徴とする無線通信端末。
【請求項９】
前記記憶手段に、第１移動速度に対応して記憶されている第１閾値は、前記第１移動速度よりも値の大きい第２移動速度に対応して記憶されている第２閾値よりもその値が大きい
ことを特徴とする請求項８に記載の無線通信端末。
【請求項１０】
無線通信端末であって、
一定時間後に当該無線通信端末が存在する予定のセルを予測する予測手段と、
前記予測手段により予測されたセルを示すセル情報を位置管理装置に通知する通知手段と
を備えることを特徴とする無線通信端末。
【請求項１１】
前記予測手段は、
複数のセルについて、当該セルを識別するセル情報と、当該セルが配置されている配置位置とを対応付けて記憶している配置記憶部と、
自機の存在位置を取得する位置取得部と、
当該無線通信端末の移動する方向を検出する方向検出部と、
取得した存在位置と検出された方向とを基に、一定時間後に当該無線通信端末が存在する予定のセルを示すセル情報を前記配置記憶手段から抽出する抽出部
とを含むことを特徴とする請求項１０に記載の無線通信端末。
【請求項１２】
１以上の無線基地局から送信される制御信号を受信し、受信した制御信号の受信強度が閾値より大きい場合に当該制御信号を送信する無線基地局が分担するセルを示すセル情報を位置管理装置に通知する当該無線通信端末であって、
自機の存在位置を取得する位置取得手段と、
取得した存在位置に応じて前記閾値を変更する変更手段と
を備えることを特徴とする無線通信端末。
【請求項１３】
前記変更手段は、前記取得手段により取得された存在位置が、周辺に存在する何れの無線基地局からの電波も弱い地域内であるか否かを判断し、前記地域内であると判断する場合に、前記閾値をより低い値に変更する
ことを特徴とする請求項１２に記載の無線通信端末。
【請求項１４】
無線通信端末で用いられる制御プログラムであって、
前記無線通信端末は、所定の移動経路上の各地点について、当該地点を含むセルを示すセル情報を予め記憶している記憶手段を備え、
前記制御プログラムは、
現在位置を取得する取得ステップと、
取得された現在位置が前記移動経路上のいずれかの一地点である場合に、前記記憶手段に記憶されている各セル情報に基づいて、位置管理装置に対してセル情報を通知するか否かを判断する判断ステップと、
通知すると判断される場合に、位置管理装置に対して当該地点を含むセルを示すセル情報を通知し、通知しないと判断される場合に前記通知を禁止する通知制御ステップと
を備えることを特徴とする制御プログラム。
【請求項１５】
前記制御プログラムは、
コンピュータ読み取り可能な記録媒体に記録されている
ことを特徴とする請求項１４に記載の制御プログラム。
【請求項１６】
無線通信端末で用いられる制御プログラムであって、
前記無線通信端末は、移動速度に対応して、所定の閾値を記憶している記憶手段を備え、
前記制御プログラムは、
１以上の無線基地局からの制御信号を受信する受信ステップと、
当該無線通信端末の移動速度を取得する速度取得ステップと、
取得した移動速度に対応する閾値を前記記憶手段から読み出し、読み出した閾値以上の時間間隔をあけて、当該無線通信端末の存在するセルを示すセル情報を位置管理装置へ通知する通知ステップとを備えることを制御プログラム。
【請求項１７】
前記制御プログラムは、
コンピュータ読み取り可能な記録媒体に記録されている
ことを特徴とする請求項１６に記載の制御プログラム。
【請求項１８】
無線通信端末で用いられる制御プログラムであって、
一定時間後に当該無線通信端末が存在する予定のセルを予測する予測ステップと、
前記予測手段により予測されたセルを示すセル情報を位置管理装置に通知する通知ステップと
を備えることを特徴とする制御プログラム。
【請求項１９】
前記制御プログラムは、
コンピュータ読み取り可能な記録媒体に記録されている
ことを特徴とする請求項１８に記載の制御プログラム。
【請求項２０】
１以上の無線基地局から送信される制御信号を受信し、受信した制御信号の受信強度が閾値より大きい場合に当該制御信号を送信する無線基地局が分担するセルを示すセル情報を位置管理装置に通知する無線通信端末で用いられる制御プログラムであって、
存在位置を取得する位置取得ステップと、
取得した存在位置に応じて前記閾値を変更する変更ステップと
を備えることを特徴とする制御プログラム。
【請求項２１】
前記制御プログラムは、
コンピュータ読み取り可能な記録媒体に記録されている
ことを特徴とする請求項２０に記載の制御プログラム。
【発明の詳細な説明】
【技術分野】
【０００１】
本発明は、無線通信端末による位置登録に係る技術に関する。
【背景技術】
【０００２】
携帯電話に代表される移動体通信システムでは、多数の無線基地局を配置することで、広い範囲において、通信を可能にしている。１つの無線基地局がカバーする地域は、一般的にセルと呼ばれる。
携帯電話は、複数の無線基地局からの電波の受信強度を比較し、最も受信強度の強い電波を送信する無線基地局を選択し、選択した無線基地局を介して音声を含む情報の送受信を行う。（以下、選択された無線基地局を自基地局と表現する）
携帯電話は、１つのセルから他のセルへ移動する際に、自基地局からの電波の受信強度が閾値を下回ると、自基地局とする無線基地局を選択し直す。位置登録メモリ装置へ位置登録要求を送信し、新たに選択した無線基地局を示す情報を送信することで自身の存在するセルを通知する。このようにして、自身の存在するセルを通知する携帯電話の動作を一般に位置登録と言う。
【０００３】
ここで、多数のセルが重複する地域において、各セルを形成する無線基地局からの電波の受信強度は何れも弱く、また、いずれの無線基地局からの電波の受信強度が最も強いかは、建物の配置といった周囲の状況及び携帯電話のわずかな移動により頻繁に変動する。そのため、携帯電話は、位置登録を頻繁に起こす状態になっている。
また、利用者が、鉄道、新幹線といった交通機関を利用して高速で移動する場合、携帯電話は、頻繁にセルを移り変わることになり、そのため、頻繁に位置登録を行わなければならない。
【特許文献１】特開2002-369236号公報
【非特許文献１】Ｗ−ＣＤＭＡ移動通信方式（立川敬二  著  平成１３年  丸善株式会社）
【発明の開示】
【発明が解決しようとする課題】
【０００４】
位置登録において、携帯電話は、所定の情報を送信するため、位置登録を頻繁に行うことにより携帯電話の電力を著しく消費するという問題がある。
これらの問題を解決するために、本発明は、位置登録の頻度を減少させることにより消費電力を削減することのできる携帯電話機、プログラム及び記録媒体を提供することを目的とする。
【課題を解決するための手段】
【０００５】
上記の目的を達成するために、本発明は、所定の移動経路上の各地点について、当該地点を含むセルを示すセル情報を予め記憶している記憶手段と、現在位置を取得する取得手段と、取得された現在位置が前記移動経路上のいずれかの一地点である場合に、前記記憶手段に記憶されている各セル情報に基づいて、位置管理装置に対してセル情報を通知するか否かを判断する判断手段と、通知すると判断される場合に、位置管理装置に対して当該地点を含むセルを示すセル情報を通知し、通知しないと判断される場合に前記通知を禁止する通知制御手段とを備えることを特徴とする無線通信端末。
【発明の効果】
【０００６】
上記の構成によると、前記判断手段は、前記記憶手段に記憶されているセル情報に基づいて、位置管理装置に対してセル情報の通知をするか否かを判断し、前記通知制御手段は、通知しないと判断される場合に、通知を禁止する。そのため、前記通知の回数を減らし、消費電力を削減することができる。
また、前記判断手段は、取得された現在位置に対応する地点についてのセル情報を前記記憶手段から抽出し、抽出した前記セル情報と、現時点で前記位置管理装置により自機が存在するとされているセルを識別するセル情報とを比較し、異なる場合に、前記位置管理装置に対して通知すると判断することを特徴とする無線通信端末でもある。
【０００７】
この構成によると、前記判断手段は、現在位置に対応する地点についてのセル情報と現時点で前記位置管理装置により当該無線通信端末が存在するとされているセルを識別するセル情報とが異なる場合に、前記位置管理装置に対して通知すると判断する。このため、現時点で前記位置管理装置により当該無線通信端末が存在するとされているセルと同一のセルを示すセル情報を、再度通知するという無駄を回避することができる。
【０００８】
本発明の無線通信端末において、前記判断手段は、前記取得手段により取得された現在位置に相応する第１地点についての第１セル情報を、前記記憶手段から抽出する第１抽出部と、前記移動経路上において、前記第１地点の直前の第２地点についての第２セル情報を前記記憶手段から抽出する第２抽出部と、抽出された前記第１セル情報と前記第２セル情報とを比較し、異なる場合に、前記位置管理装置に対して通知すると判断する判断部とを含む。
【０００９】
この構成では、前記判断部は、現在位置に対応する地点の第１セル情報と、移動経路上において現在位置の直前の第２地点に対応する第２セル情報とが異なる場合に、前記位置管理装置に対して通知すると判断する。
これによると、前記判断手段は、前記記憶手段の記憶している各セル情報と前記取得手段により取得された現在位置のみに基づいて、前記位置管理装置に対して通知するか否かの判断をすることができる。
【００１０】
また、本発明の無線通信端末において、前記記憶手段により記憶されている各地点についてのセル情報は、前記移動経路に沿った移動に伴って記憶されたものであり、各セル情報は、対応する地点以降において当該無線通信端末の位置を当該セルにより管理すべきことを示し、前記記憶手段は、各地点の通過時の地点時刻を含み、前記無線通信端末は、さらに、前記記憶手段により記憶されている各セル情報を用いて、前記移動経路上の２地点を結ぶ区間において、同一セルにより管理すべきものであるか否かを判断し、同一セルにより管理すべきものであると判断される場合に、各地点時刻を用いて、前記区間内の移動に要する移動時間を算出し、算出された移動時間が、所定値以下である場合に、前記区間内の地点についてのセル情報を、前記区間に隣接する地点についてのセル情報に書き換える書換手段を含む。
【００１１】
この構成によると、前記書換手段は、前記移動経路上の２地点を結ぶ区間において、同一セルにより管理すべきものであると判断される場合、前記区間内の移動に要する移動時間が、所定値以下である場合に、前記区間内の地点についてのセル情報を、前記区間に隣接する地点についてのセル情報に書き換える。このようにすることにより、当該無線通信端末が前記移動経路に沿って移動する場合、前記所定値以下の時間内に連続して、前記位置管理装置に対してセル情報を通知することを回避できる。従って、書換手段による書き換えを行わない場合に比べ、前記位置管理装置に対してセル情報を通知する回数を減少させることができる。
【００１２】
また、本発明において、前記記憶手段により記憶されている各地点についてのセル情報は、前記移動経路に沿った移動に伴って、一定時間間隔で記憶されたものであり、各セル情報は、対応する地点以降において当該無線通信端末の位置を当該セルにより管理すべきことを示し、前記無線通信端末は、さらに、前記記憶手段により記憶されている各セル情報を用いて、前記移動経路上の２地点を結ぶ区間において、同一セルにより管理すべきものであるか否かを判断し、同一セルにより管理すべきものであると判断される場合に、前記区間に含まれる地点の個数が所定値以下である場合に、前記区間内の地点についてのセル情報を、前記区間に隣接する地点についてのセル情報に書き換える書換手段を含む。
【００１３】
この構成によると、前記書換手段は、前記区間に含まれる地点の個数が所定値以下である場合に、前記区間内の地点についてのセル情報を、前記区間に隣接する地点についてのセル情報に書き換える。このようにすることにより、当該無線通信端末が前記移動経路に沿って移動する場合、前記通知制御手段は、短い区間内で頻繁に、前記位置管理装置に対してセル情報を通知することを回避できる。従って、書換手段による書き換えを行わない場合に比べ、前記位置管理装置に対してセル情報を通知する回数を減少させ、消費電力を削減することができる。さらに、前記区間に含まれる地点の個数により、セル情報の書き換えを行うか否かが決まるため、時刻を示す情報を記憶する必要がない。
【００１４】
本発明の無線通信端末は、さらに、複数のセルについて、当該セルを示すセル情報と当該セルに対応する無線基地局が存在する基地局位置とを対応付けて記憶している配置記憶手段と、自機の存在位置を取得する位置取得手段と、前記位置取得手段により取得された存在位置に最も近い位置に存在する無線基地局に対応するセル情報を前記配置記憶手段から抽出し、抽出したセル情報を前記記憶手段に書き込む書込手段とを含むことを特徴とする。
【００１５】
この構成によると、前記書込手段は、前記位置取得手段により取得された存在位置に最も近い位置に存在する無線基地局に対応するセル情報を前記配置記憶手段から抽出し、抽出したセル情報を前記記憶手段に書き込む。このため、前記書込手段は、存在位置との距離を算出することにより、容易に、セル情報を抽出することができる。
本発明の無線通信端末は、さらに、１以上の無線基地局からの制御信号を受信する受信手段と、自機の存在位置を取得する位置取得手段と、前記位置取得手段により取得された存在位置において、最も受信強度の強い制御信号を送信する無線基地局を選択し、選択した無線基地局に対応するセル情報を前記記憶手段に書き込む書込手段とを含むことを特徴とする。
【００１６】
この構成によると、前記書込手段は、前記存在位置において、最も受信強度の強い制御信号を送信する無線基地局を選択し、選択した無線基地局に対応するセル情報を前記記憶手段に書き込むため、前記存在位置において、前記通知制御手段は、最も電波の受信状態の良い無線基地局と対応するセル情報を前記位置管理装置へ通知する。当該無線通信端末は、外部機器と通信を開始する際、前記位置管理装置が、その時点で、当該無線通信端末が存在するとしているセルと対応する無線基地局を介して、各種情報の送受信を行う。従って、前記無線通信端末は、前記存在位置において、最も電波の受信状態の良い無線基地局を介して、通信することができる。
【００１７】
また、本発明は、無線通信端末の移動速度に対応して、所定の閾値を記憶している記憶手段と、１以上の無線基地局からの制御信号を受信する受信手段と、当該無線通信端末の移動速度を取得する速度取得手段と、取得した移動速度に対応する閾値を前記記憶手段から読み出し、読み出した閾値以上の時間間隔をあけて、当該無線通信端末の存在するセルを示すセル情報を位置管理装置へ通知する通知手段とを備えることを特徴とする無線通信端末である。
【００１８】
この構成によると、前記通知手段は、前記速度取得手段により取得された移動速度に対応する閾値を前記記憶手段から読み出し、読み出した閾値以上の時間間隔をあけて、当該無線通信端末の存在するセルを示すセル情報を前記位置管理装置へ通知する。このようにすることで、当該無線通信端末が高速で移動し、頻繁にセルを移り変わる際に、頻繁に当該無線通信端末の存在するセルを示すセル情報を前記位置管理装置へ通知することを回避することができる。従って、消費電力を削減することができる。
【００１９】
前記無線通信端末において、前記記憶手段に、第１移動速度に対応して記憶されている第１閾値は、前記第１移動速度よりも値の大きい第２移動速度に対応して記憶されている第２閾値よりもその値が大きいことを特徴とする。
１つのセルを通過する際に、セルの中心付近を横切って通過する場合、所要時間が最も長くなる。従って、前記閾値が、セルの中心付近を横切って通過する場合の所要時間より長い場合、前記通知手段による通知の回数の減少が期待できる。
【００２０】
１つのセルを通過する時間は、移動速度が速いほど短くなる。つまり、前記第２移動速度が前記第１移動速度よりも値が大きい場合、第１閾値は、第２閾値よりもその値が大きいことにより、より効果的に、前記位置管理装置へセル情報を通知する回数を減少させることができる。
また、本発明は、一定時間後に当該無線通信端末が存在する予定のセルを予測する予測手段と、前記予測手段により予測されたセルを示すセル情報を位置管理装置に通知する通知手段とを備えることを特徴とする無線通信端末でもある。
【００２１】
この構成によると、前記予測手段は、前記通知手段が前記位置管理装置に通知するセル情報を事前に予測するので、前記通知手段は、予測に従って迅速に前記位置管理装置にセル情報を通知することができる。
また、本発明の無線通信端末において、前記予測手段は、複数のセルについて、当該セルを識別するセル情報と、当該セルが配置されている配置位置とを対応付けて記憶している配置記憶部と、自機の存在位置を取得する位置取得部と、当該無線通信端末の移動する方向を検出する方向検出部と、取得した存在位置と検出された方向とを基に、一定時間後に当該無線通信端末が存在する予定のセルを示すセル情報を前記配置記憶手段から抽出する抽出部とを含む。
【００２２】
この構成によると、前記抽出部は、存在位置と検出された方向とを基に、前記配置記憶手段から、当該無線通信端末が存在する予定のセルを示すセル情報を抽出するため、前記予測手段は、より正確に、当該無線通信端末が存在する予定のセルを予測することができる。
本発明は、１以上の無線基地局から送信される制御信号を受信し、受信した制御信号の受信強度が閾値より大きい場合に当該制御信号を送信する無線基地局が分担するセルを示すセル情報を位置管理装置に通知する当該無線通信端末であって、自機の存在位置を取得する位置取得手段と、取得した存在位置に応じて前記閾値を変更する変更手段とを備えることを特徴とする無線通信端末である。
【００２３】
この構成によると、前記変更手段が、当該携帯電機の存在位置に応じて前記閾値を適切に変更することにより、当該無線通信端末は、前記位置管理装置にセル情報を通知する頻度を調整することができる。
本発明の無線通信端末において、前記変更手段は、前記取得手段により取得された存在位置が、周辺に存在する何れの無線基地局からの電波も弱い地域内であるか否かを判断し、前記地域内であると判断する場合に、前記閾値をより低い値に変更することを特徴とする。
【００２４】
前記地域内では、周辺に存在する何れの無線基地局からの電波も弱いため、直前に位置管理装置にセル情報を通知した無線基地局からの制御信号の受信強度が閾値を下回る状態が頻繁に起こり、その度に、前記無線通信端末は、前記通知を行う。
この構成によると、前記変更手段は、前記取得手段により取得された存在位置が、前記地域内であると判断する場合に、前記閾値をより低い値に変更するため、直前に位置管理装置に通知した無線基地局からの制御信号の受信強度が閾値を下回る状態が起こりにくくなる。従って、位置管理装置への前記通知の頻度を下げることになり、消費電力を削減することができる。
【発明を実施するための最良の形態】
【００２５】
１．実施の形態１
本発明における、一個の実施の形態として、携帯電話システム１について説明する。
１．１  携帯電話システム１
携帯電話システム１は、図１に示すように、携帯電話１００、無線基地局２５０、３００、３５０、４００・・・、ＧＰＳ衛星１２、１３・・・１４、移動通信交換機７００、位置登録メモリ装置８００及び基地局情報サーバ６００から構成される。
【００２６】
移動通信交換機７００は、携帯電話網１５を介してインターネット２０に接続されている。基地局情報サーバ６００は、インターネット２０に接続されている。
基地局情報サーバ６００は、無線基地局の配置情報を管理しており、無線基地局が追加又は撤去されると、自身の記憶している配置情報を更新し、更新した配置情報をインターネット２０、携帯電話網１５、移動通信交換機７００及び無線基地局を介して携帯電話１００へ送信する。
【００２７】
無線基地局２５０、３００、３５０、４００・・・は、携帯電話１００と移動通信交換機７００との間で、各種の情報の送受信を行う。
位置登録メモリ装置８００は、携帯電話１００と携帯電話１００が自基地局としている無線基地局を示す情報とを対応付けて記憶している。携帯電話１００から位置登録要求及び携帯電話１００が新たに選択した無線基地局を示す情報とを受信すると、携帯電話１００と対応付けて記憶している無線基地局を変更する。
【００２８】
移動通信交換機７００は、位置登録メモリ装置８００の記憶している携帯電話１００の自基地局を介して、携帯電話１００との間で音声を含む各種の情報の送受信を行う。
携帯電話１００は、自身が存在するセルの無線基地局を自基地局として移動通信交換機７００に通知し、通知した無線基地局を介して、他の携帯電話、固定電話などとの間で音声を含む各種情報の送受信を行う。
【００２９】
携帯電話１００は、予め無線基地局２５０、３００、３５０、４００・・・の配置情報を記憶している。また、ＧＰＳ機能を備え、定期的にＧＰＳ衛星１２、１３・・・１４から測距信号を受信し、携帯電話１００自身の存在する位置の緯度及び経度を算出する。
携帯電話１００は、１つのセルから他のセルへ移動する際に、記憶している無線基地局の配置情報と算出した自身の位置とを基に、次に自基地局とする無線基地局を選択し直し、選択した無線基地局を、移動通信交換機７００を介して、位置登録メモリ装置８００へ通知する。
【００３０】
また、携帯電話１００は、利用者の操作により、利用者が頻繁に利用する経路、例えば通勤、通学経路など（以下の説明では、通勤経路と呼称する。）を記憶する。
携帯電話１００は、記憶した通勤経路と無線基地局の配置情報とから、経路上の通過地点とその地点において自基地局とするべき無線基地局とを対応付けた経路テーブルを作成する。経路テーブルの作成後に、携帯電話１００を所持した利用者が、通勤経路上を通過している場合、携帯電話１００は、作成した経路テーブルに従って自基地局とする無線基地局を選択し、選択した無線基地局を位置登録メモリ装置８００へ通知する。
１．２  携帯電話１００
携帯電話１００は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式により、音声を含む各種の情報の送受信を行う。
【００３１】
図２に示すように、携帯電話１００は、アンテナ１１５、ＷＣＤＭＡ−ＲＦ回路１０１、ＷＣＤＭＡベースバンド回路１０２、アンテナ１１６、ＧＰＳモジュール１０５、制御部１０７、記憶部１１０、スピーカ１０８、マイク１０９、時計部１０６、ＬＣＤ（Ｌｉｑｕｉｄ  Ｃｒｙｓｔａｌ  Ｄｉｓｐｌａｙ）１１３及びキー１１２から構成される。
（１）記憶部１１０
記憶部１１０は、ＥＥＰＲＯＭ（Electronically Erasable and Programmable Read Only Memory）、ＳＲＡＭ（Static Random Access Memory）などから構成され、一例として、図３に示すように、基地局テーブル１２０、経路テーブル１４０、現在地情報１６０、前位置情報１６３及び自基地局セルＩＤ１６６を記憶している。
【００３２】
基地局テーブル１２０は、図４に示すように、複数の基地局情報１２１、１２２、１２３・・・を含み、各基地局情報は、セルＩＤ、コード番号、設置位置及びセル半径から構成される。
セルＩＤは、各無線基地局を一意に識別する識別情報であり、コード番号は、セルＩＤにより識別される無線基地局が使用する拡散コードの識別番号である。
【００３３】
ＷＣＤＭＡ方式では、同一の周波数帯域を使用する複数の無線基地局それぞれに、個別の拡散符号が割り当てられている。拡散符号は、５１２種類存在し、それぞれの拡散符号に識別番号が割り当てられている。
設置位置は、設置緯度と設置経度とを含んでおり、設置緯度及び設置経度はそれぞれ、セルＩＤの示す無線基地局が設置されている位置の緯度及び経度である。セル半径は、無線基地局により形成されるセルの半径であり、その単位はｋｍである。
【００３４】
経路テーブル１４０は、図４に示すように複数の通過点情報１４１、１４２、１４３・・・１４５からなり、各通過点情報は、番号、緯度、経度及びセルＩＤとを含む。各通過点情報は、通勤経路上の各点と対応しており、利用者が通過する順、例えば、自宅から勤務先の順に並んでいる。
番号は、各通過点情報に一意に割り当てられる。ここでは、利用者が通過する順に１〜ｎの数字が割り当てられている。緯度及び経度は、通勤経路上の各点の位置を緯度及び経度により示しており、セルＩＤは、緯度及び経度の示す位置において、携帯電話１００が自基地局とする無線基地局のセルＩＤである。経路テーブル１４０は、携帯電話１００の製造メーカからの出荷時点では、記憶されておらず、出荷後利用者の登録開始ボタンの押下に従って、制御部１０７により生成される。
【００３５】
現在地情報１６０は、現在緯度１６１と現在経度１６２とを含む。現在緯度１６１及び現在経度１６２は、携帯電話１００が現在存在する位置を示す緯度及び経度であり、具体的には、ＧＰＳモジュール１０５（後述する）により、最も最近算出された緯度及び経度である。
前位置情報１６３は、前緯度１６４及び前経度１６５からなり、具体的には、ＧＰＳモジュール１０５により、現在緯度１６１及び現在経度１６２の直前に、算出された緯度及び経度である。
【００３６】
自基地局セルＩＤ１６６は、現在携帯電話１００が自基地局として選択し、各種情報の送受信を行っている無線基地局のセルＩＤである。
（２） アンテナ１１５、ＷＣＤＭＡ−ＲＦ回路１０１及びＷＣＤＭＡベースバンド回路１０２
アンテナ１１５、ＷＣＤＭＡ−ＲＦ回路１０１及びＷＣＤＭＡベースバンド回路１０２は、無線基地局２５０、３００、３５０、４００・・・及び移動通信交換機７００を介して接続された相手の装置との間で、音声又は情報の送受信を行う。
【００３７】
ＷＣＤＭＡ−ＲＦ回路１０１は、高周波増幅器、受信ミキサ、送信電力増幅器、送信ミキサ、フィルターなどを含み、アンテナ１１５を介して受信した信号を選択し、拡散符号を用いて逆拡散し増幅しＷＣＤＭＡベースバンド回路１０２へ出力する。また、ＷＣＤＭＡベースバンド回路１０２から受け取った信号を、拡散符号を用いて拡散し、増幅し、アンテナ１１５により出力する。
【００３８】
ＷＣＤＭＡベースバンド回路１０２は、変復調器、ベースバンド部を含み、ＷＣＤＭＡ−ＲＦ回路１０１と制御部１０７との間で入出力する各種の信号の処理を行う。
（３） アンテナ１１６、ＧＰＳモジュール１０５
ＧＰＳモジュール１０５は、制御部１０７の指示により、アンテナ１１６を介して４個のＧＰＳ衛星１２、１３・・・１４から、１．６ＧＨｚ帯のマイクロ波により送信される測距信号を受信し、増幅し、復調する。受信した測距信号を用いて、携帯電話１００が存在する位置の緯度及び経度を算出し、算出した緯度及び経度を制御部１０７へ出力する。
（４）制御部１０７
制御部１０７は、具体的にはマイクロプロセッサ、ＲＡＭ、ＲＯＭなどを含んで構成され、ＲＡＭ、ＲＯＭにはコンピュータプログラムが記憶されている。マイクロプロセッサが、ＲＡＭ及びＲＯＭに記憶されているコンピュータプログラムに従って動作することにより、制御部１０７は、その機能を達成する。
【００３９】
制御部１０７は、距離閾値、強度閾値、緯度フラグ、経度フラグ及び受信間隔「５．０秒」を記憶している。距離閾値は、制御部１０７が自基地局を変更するか否かを判断する閾値であり、記憶部１１０の記憶している自基地局セルＩＤ１６６と対応する無線基地局により形成されるセルの半径を０．８倍した値である。強度閾値は、受信強度を利用して自基地局とする無線基地局の選択を行うか否かを判断する基準値である。
【００４０】
緯度フラグ及び経度フラグは、次に自基地局とする無線基地局を検索する方向を示しており、緯度フラグ「＋」は、現在地情報１６０の示す地点より北の方向（つまり緯度が増加する方向）、緯度フラグ「−」は、現在地情報１６０の示す地点より南の方向（つまり緯度が減少する方向）を示す。経度フラグ「＋」は、現在地情報の示す地点より東の方向（つまり緯度が増加する方向）、経度フラグ「−」は、現在地情報１６０の示す地点より西の方向（つまり経度が減少する方向）を示す。
【００４１】
受信間隔「５．０秒」は、待ち受け状態において、制御部１０７が自基地局から着信の有無を含む着信通知信号を受信する時間間隔である。このように、定期的に着信通知信号を受信し、着信の有無を確認することを一般に間欠受信と言う。間欠受信については、非特許文献１に詳細に開示されているので、ここでは説明しない。
また、制御部１０７は、カウンタＣ及びカウンタｔを備えており、カウンタＣは、予備テーブルの生成（後述する）において、通勤経路上で緯度及び経度を取得した地点の数を格納する変数である。
【００４２】
カウンタｔは、通常の待ち受け状態において、ＧＰＳモジュール１０５により、算出される緯度及び経度の示す位置が、通勤経路上の地点と連続して一致する回数を計測する。ｔ＝５になると、携帯電話１００を所持する利用者が、通勤経路に沿って移動していると判断し、通勤モードに処理を移す。通勤モードは、制御部１０７が経路テーブル１４０に基づいて、自基地局とする無線基地局を選択し、位置登録を行う状態であることを示す。
【００４３】
制御部１０７が、通勤モードの動作を行っている場合、カウンタｔは、ＧＰＳモジュール１０５により、算出される緯度及び経度の示す位置が、通勤経路上の地点と一致しない回数を計測し、ｔ＝１０になると、携帯電話１００を所持する利用者が、通勤経路に沿って移動していないと判断し、通勤モードを終了する。
制御部１０７は、間欠受信のタイミングに合わせて、ＧＰＳモジュール１０５に緯度及び経度の算出を指示する。ＧＰＳモジュール１０５から緯度及び経度を受け取り、記憶部１１０の記憶している現在緯度１６１及び現在経度１６２により前緯度１６４及び前経度１６５を更新し、受け取った緯度及び経度により現在地情報１６０の現在緯度１６１及び現在経度１６２を更新する。
【００４４】
また、制御部１０７は、キー１１２から利用者による各種の操作を示す操作指示情報を受け取る。
（経路テーブル作成）
キー１１２から、登録開始ボタンの押下を示す操作指示情報を受け取ると、制御部１０７は、
（i）予備テーブルの生成
（ii）予備テーブルの編集
の手順で、経路テーブル１４０を生成する。
【００４５】
以下に、図６及び図７に示すフローチャートを用いて、（ｉ）予備テーブルの生成及び（ii）予備テーブルの編集について説明する。
（ｉ）予備テーブルの生成
制御部１０７は、キー１１２から、登録開始ボタンの押下を示す操作指示情報を受け取ると、カウンタＣ＝０を設定する（ステップＳ１３１）。
【００４６】
現在地情報１６０及び前位置情報１６３が更新されると（ステップＳ１３２のＹＥＳ）、制御部１０７は、カウンタＣに１加算する（ステップＳ１３４）。
基地局テーブル１２０を基に、現在地情報１６０の示す地点に最も近い地点を示す設置位置を含む無線基地局と対応する基地局情報を選択し、選択した基地局情報に含まれるセルＩＤを抽出する（ステップＳ１３６）。以下、ある地点に最も近い位置に存在する無線基地局を、その地点の最近接基地局と表現する。
【００４７】
カウンタＣの値を番号とし、現在緯度１６２及び現在経度１６３を緯度及び経度として、番号と緯度及び経度と抽出したセルＩＤとを予備情報として記憶部１１０に書き込む（ステップＳ１３７）。
キー１１２から、ストップボタンの押下を示す操作指示情報を受け取るまで、現在地情報１６１及び前位置情報１６３が更新されるたびに、ステップＳ１３２〜ステップＳ１３８の処理を繰り返す。キー１１２から、ストップボタンの押下を示す操作指示情報を受け取ると（ステップＳ１３８のＹＥＳ）、予備テーブルの作成を完了し、（ii）予備テーブルの編集へ移る。このときの、カウンタＣの値をｎとする。
【００４８】
ここで、生成される予備テーブル１７１は、図５に示すように、複数の予備情報１７２、１７３、１７４・・・１７５から構成され、各予備情報は、番号、緯度、経度及びセルＩＤを含む。緯度及び経度は、利用者が通過する通勤経路上の通過地点の位置を示す。番号は、各予備情報に一意に割り当てられており、緯度及び経度の示す地点の通過順序を示し、１〜ｎの何れかの整数である。セルＩＤは、緯度及び経度の示す地点の最近接基地局のセルＩＤである。
（ii）予備テーブルの編集
次に、制御部１０７は変更ポインタＮ＝０を設定し（ステップＳ１０２）、時間変数ｐを１に初期化し（ステップＳ１０３）、制御変数ｉ＝２を設定する（ステップＳ１０６）。変更ポインタＮは、予備テーブル１７１上で、セルＩＤが変わる予備情報の番号、言い換えると、通勤経路上で、最近接基地局が変わる地点に対応する予備情報の番号を格納する変数である。距離変数ｐは、通勤経路上の最近接基地局が変わる地点Ｘから、次に最近接基地局が変わる地点Ｙまでに通過する地点の数を格納する変数である。例えば、地点Ｘを番号４の予備情報と対応する地点（以下、地点４という）、地点Ｙを番号６の予備情報と対応する地点（以下、地点６という）とすると、地点４から地点６までに２地点通過する。つまり、ｐ＝２である。ｐ＜１２の場合、制御部１０７は、地点４〜地点５に対応する予備情報のセルＩＤを地点３を示す予備情報のセルＩＤに変更する。ｐ≧１２の場合、このようなセルＩＤの変更は行わない。
【００４９】
制御変数ｉは２〜ｎまで変化する変数である。
次に、番号がｉ及びｉ−１である予備情報を読み出し（ステップＳ１０７）、読み出した２つの予備情報に含まれるセルＩＤを比較することで、最近接無線基地局が変わる地点に対応する予備情報を検出する（ステップＳ１０８）。２つのセルＩＤが一致していないと判断すると（ステップＳ１０８のＮＯ）、次に、変更ポインタＮ＝０であるか否かを判別し（ステップＳ１１１）、Ｎ＝０であれば、Ｎにｉを代入する（ステップＳ１１６）。次に、時間変数ｐに１を代入し、ステップＳ１１８へ処理を移す。
【００５０】
変更ポインタＮ＝０でなければ（ステップＳ１１１のＮＯ）、次に時間変数ｐ≧１２であるか否かを判断する（ステップＳ１１２）。時間変数ｐ≧１２であれば（ステップＳ１１２のＹＥＳ）、ステップＳ１１７へ処理を移す。時間変数ｐ＜１２であれば（ステップＳ１１２のＮＯ）、予備テーブル１７１中で番号がＮ〜ｉ−１である予備情報のセルＩＤを番号がＮ−１である予備情報のセルＩＤに置き換え（ステップＳ１１３）、ステップＳ１１６へ処理を移す。
【００５１】
ステップＳ１０８において、２つのセルＩＤが一致していると判断すると（ステップＳ１０８のＹＥＳ）、時間変数ｐに１加算する（ステップＳ１０９）。
次に、制御変数ｉ＝ｎでなければ（ステップＳ１１８のＮＯ）、制御変数ｉに１加算し（ステップＳ１１９）、ステップＳ１０７へ戻る。
制御変数ｉ＝ｎであれば（ステップＳ１１８のＹＥＳ）、予備テーブルの編集を終了する。ここで、編集の終了した予備テーブルが、経路テーブル１４０である。
（待ち受け中の処理）
上記のように、経路テーブル１４０を生成した後の制御部１０７の待ち受け状態の動作について、図８〜１１に示すフローチャートを用いて説明する。
【００５２】
現在地情報１６０と前位置情報１６３とが更新されると（ステップＳ１５１のＹＥＳ）、制御部１０７は、経路テーブル１４０から、通過点情報を読み出し（ステップＳ１５３）、読み出した通過点情報に含まれる緯度及び経度の示す地点と現在地情報の示す地点との距離を算出する（ステップＳ１５４）。算出した距離が１０ｍ未満であれば（ステップＳ１５６のＹＥＳ）、カウンタｔに１加算する（ステップＳ１５７）。次に、ｔ＝５であれば（ステップＳ１５８のＹＥＳ）、通勤モードに処理を移す（ステップＳ１５９）。ｔ＝５でなければ（ステップＳ１５８のＮＯ）、ステップＳ１６３へ処理を移す。
【００５３】
算出した距離が１０ｍ以上であると判断した場合（ステップＳ１５６のＮＯ）、経路テーブル１４０内の通過点情報のうち、ステップＳ１５３〜１５６の処理を行っていない通過点情報が存在すれば（ステップＳ１６１のＮＯ）、ステップＳ１５３へ戻り、次の通過点情報を読み出す。
全ての通過点情報について、ステップＳ１５３〜１５６の処理を行っていれば（ステップＳ１６１のＹＥＳ）、カウンタｔに０を代入し（ステップＳ１６２）、次に、自基地局と携帯電話１００との距離を算出する（ステップＳ１６３）。算出した距離と距離閾値とを比較し、算出した距離が距離閾値未満であれば（ステップＳ１６４のＮＯ）、ステップＳ１５１へ戻る。
【００５４】
算出した距離が、距離閾値以上であれば（ステップＳ１６４のＹＥＳ）、現在地情報１６０と前位置情報１６３とを読み出し、現在緯度１６１と前緯度１６４とを比較し、現在緯度１６１が前緯度１６４以上であれば（ステップＳ１６６のＹＥＳ）、緯度フラグを「＋」に設定し（ステップＳ１６７）、現在緯度１６１が前緯度１６４未満であれば（ステップＳ１６６のＮＯ）、緯度フラグを「−」に設定する（ステップＳ１６８）。
【００５５】
次に、現在経度１６２と前経度１６５とを比較し、現在経度１６２が前経度１６５以上であれば（ステップＳ１６９のＹＥＳ）、経度フラグを「＋」に設定し（ステップＳ１７１）、現在経度１６２が前経度１６５未満であれば（ステップＳ１６９のＮＯ）、経度フラグを「−」に設定する（ステップＳ１７２）。
次に、距離変数Ｓを、１００ｋｍに初期化する（ステップＳ１７３）。距離変数Ｓは、以下の処理において、現在地情報１６０の示す地点と各基地局情報の含む設置位置の示す地点との距離を格納する変数である。
【００５６】
基地局テーブル１４０から基地局情報を順次読み出す（ステップＳ１７４）。このとき、全ての基地局情報を既に読み出し終えていれば（ステップＳ１７６のＹＥＳ）、ステップＳ２０１へ処理を移す。全ての基地局情報を読み出し終えていなければ（ステップＳ１７６のＮＯ）、緯度フラグを判別し、緯度フラグが「＋」であれば（ステップＳ１７７の「＋」）、現在緯度１６１と読み出した基地局情報に含まれる設置緯度とを比較する（ステップＳ１７８）。現在緯度＋１分＞設置緯度≧現在緯度であれば（ステップＳ１７８のＹＥＳ）、ステップＳ１８４へ処理を移す。現在緯度＋１分＞設置緯度≧現在緯度でなければ（ステップＳ１７８のＮＯ）、ステップＳ１７４へ戻り次の基地局情報を読み出す。
【００５７】
緯度フラグが「−」であれば、（ステップＳ１７７の「−」）、現在経度１６２と読み出した基地局情報に含まれる設置経度とを比較し（ステップＳ１８１）、現在緯度≧設置緯度＞現在緯度−１分であれば（ステップＳ１８１のＹＥＳ）、ステップＳ１８４へ処理を移す。現在緯度≧設置緯度＞現在緯度−１分でなければ（ステップＳ１８１のＮＯ）、ステップＳ１７４へ戻る。
【００５８】
次に、経度フラグを判別し、経度フラグが「＋」であれば（ステップＳ１８４の「＋」）、現在経度１６２と読み出した基地局情報に含まれる設置経度とを比較する（ステップＳ１８６）。現在経度＋１分＞設置経度≧現在経度であれば（ステップＳ１８６のＹＥＳ）、ステップＳ１９１へ処理を移す。現在経度＋１分＞設置経度≧現在経度でなければ（ステップＳ１８６のＮＯ）、ステップＳ１７４へ戻り次の基地局情報を読み出す。
【００５９】
経度フラグが「−」であれば、（ステップＳ１８４の「−」）、現在経度１６２と読み出した基地局情報に含まれる設置経度とを比較し（ステップＳ１８８）、現在経度≧設置経度＞現在経度−１分であれば（ステップＳ１８８のＹＥＳ）、ステップＳ１９１へ処理を移す。現在経度≧設置経度＞現在経度−１分でなければ（ステップＳ１８８のＮＯ）、ステップＳ１７４へ戻る。
【００６０】
次に、現在地情報の示す地点と設置位置の示す地点との距離を算出し（ステップＳ１９１）、算出した距離と距離変数Ｓとを比較する（ステップＳ１９２）。算出した距離が距離変数Ｓ以上であれば（ステップＳ１９２のＮＯ）、ステップＳ１７４へ戻る。算出した距離が距離変数Ｓ未満であれば（ステップＳ１９２のＹＥＳ）、算出した距離を距離変数Ｓに代入する（ステップＳ１９２）。
【００６１】
次に読み出した基地局情報に含まれるセルＩＤを候補セルＩＤとして一時的に、記憶する（ステップＳ１９４）。次に、ステップＳ１７４へ戻る。候補セルＩＤは、次の自基地局に選択される可能性のある無線基地局と対応するセルＩＤである。
ステップＳ１７６において、全ての基地局情報を読み出し終えていると判断すると、制御部１０７は、アンテナ１１５、ＷＣＤＭＡ−ＲＦ回路１０１及びＷＣＤＭＡベースバンド回路１０２を介して、候補セルＩＤと対応する無線基地局からの制御信号を受信し（ステップＳ２０１）、受信した制御信号の受信強度と強度閾値とを比較する（ステップＳ２０２）。受信強度が強度閾値未満であれば（ステップＳ２０２のＮＯ）、制御部１０７は、周辺の無線基地局からの制御信号を受信し、受信した制御信号の受信強度を比較し最も受信強度の強い無線基地局を、次に自基地局とする無線基地局として選択する（ステップＳ２０３）。
【００６２】
受信強度が強度閾値以上であれば（ステップＳ２０２のＹＥＳ）、候補セルＩＤと対応する無線基地局を次の自基地局として選択する。
次に、位置登録メモリ８００へ位置登録要求及び選択した無線基地局のセルＩＤを送信することにより位置登録を行う（ステップＳ２０４）。ここで、位置登録の具体的な動作は公知の技術であり、非特許文献１に詳細に説明されているので、ここでは説明を省略する。
【００６３】
自基地局として選択した無線基地局のセルＩＤを、自基地局セルＩＤ１６６として記憶部１１０へ書き込む（ステップＳ２０６）。
次に、基地局テーブル１２０から、自基地局セルＩＤ１６６と同一のセルＩＤを含む基地局情報を選択し、選択した基地局情報に含まれる半径を抽出し（ステップＳ２０７）、抽出した半径を０．８倍した値で、距離閾値を更新する（ステップＳ２０８）。距離閾値を更新すると、ステップＳ１５１へ戻る。
【００６４】
（ii）通勤モード
通勤モードの処理について、図１２〜１３に示すフローチャートを用いて詳細に説明する。これは、図８のステップＳ１５９の詳細である。
制御部１０７は、カウンタｔを０に初期化する（ステップＳ２２１）。
前位置情報１６３及び現在地情報１６０が更新されると（ステップＳ２２２のＹＥＳ）、制御部１０７は、距離変数Ｓを５０ｍに初期化する（ステップＳ２２６）。ここでは、距離変数Ｓは、現在地情報１６０の示す地点と、各通過点情報の含む緯度及び経度の示す地点との距離を記憶する変数である。
【００６５】
経路テーブル１４０から、通過点情報を読み出す（ステップＳ２２７）。このとき、全ての通過点情報を読み出し終わっていれば（ステップＳ２２８のＹＥＳ）、ステップＳ２４１へ処理を移す。
全ての基地局情報を読み出し終えていなければ（ステップＳ２２８のＮＯ）、現在地情報１６０に含まれる現在緯度１６１と読み出した通過点情報に含まれる緯度との差が１秒以内で（ステップＳ２２９のＹＥＳ）、かつ、現在経度１６２と読み出した通過点情報に含まれる経度との差が１秒以内であれば、ステップＳ２３３へ処理を移す。それ以外（ステップＳ２２９、ステップＳ２３１の少なくとも一方がＮＯ）であれば、ステップＳ２２７へ戻り、次の通過点情報を読み出す。
【００６６】
ステップＳ２２９及びステップＳ２３１がＹＥＳであれば、現在地情報１６０の示す地点と読み出した通過点情報の緯度及び経度の示す地点との距離を算出する（ステップＳ２３３）。算出した距離と距離変数Ｓとを比較し、算出した距離がＳ以上であれば（ステップＳ２３４のＮＯ）、ステップＳ２２７へ戻る。
算出した距離がＳ未満であれば（ステップＳ２３４のＹＥＳ）、距離変数Ｓに算出した距離を代入する（ステップＳ２３６）。次に、読み出した通過点情報に含まれる番号を候補番号として、一時的に記憶する（ステップＳ２３７）。ここで、候補番号は、現在地情報１６０の示す地点と最も近い可能性のある位置を示す緯度及び経度を含む通過点情報の番号である。ステップＳ２２７〜ステップＳ２３７を繰り返すことにより、現在地情報１６０の示す地点と最も近い位置を示す緯度及び経度を含む通過点情報を選出する。
【００６７】
ステップＳ２２８で、全ての通過点情報を読み出し終えていると判断すると、距離変数Ｓが１０ｍ以下であるか否かを判別し、Ｓ≦１０ｍであると判断すると（ステップＳ２４１のＹＥＳ）、記憶している候補番号と同一の番号を含む通過点情報を選択し、選択した通過点情報からセルＩＤを抽出する（ステップＳ２４２）。記憶部１１０から自基地局セルＩＤ１６６を読み出し（ステップＳ２４３）、抽出したセルＩＤと読み出した自基地局セルＩＤ１６６とを比較する（ステップＳ２４４）。抽出したセルＩＤと読み出した自基地局セルＩＤ１６６とが一致している場合（ステップＳ２４４のＹＥＳ）、ステップＳ２２２に戻る。
【００６８】
抽出したセルＩＤと自基地局セルＩＤ１６６とが異なる場合（ステップＳ２４４のＮＯ）、制御部１０７は、移動通信交換機７００を介して位置登録メモリ装置８００へ位置登録要求及び抽出したセルＩＤを送信することで、位置登録を行う（ステップＳ２４６）。
次に、抽出したセルＩＤにより、自基地局セルＩＤ１６６を更新する（ステップＳ２４７）。自基地局セルＩＤ１６６を更新すると、ステップＳ２２２に戻る。
【００６９】
ステップＳ２４１において、Ｓ＞１０ｍであれば（ステップＳ２４１のＮＯ）、カウンタｔに１加算する（ステップＳ２５１）。次に、ｔ＝１０でなければ（ステップＳ２５２のＮＯ）、ステップＳ２２２へ戻る。
ｔ＝１０であれば（ステップＳ２５２のＹＥＳ）、カウンタｔを０に初期化し（ステップＳ２５３）、通常の待ち受け中の処理へ戻る。
（４）スピーカ１０８、マイク１０９、ＬＣＤ１１３及びキー１１２
スピーカ１０８は、制御部１０７の制御により、音声を出力し、マイク１０９は音声を検出し、検出した音声を信号に変換する。
【００７０】
ＬＣＤ１１３は、制御部１０７の制御により各種の情報を表示する。
キー１１２は、方向キー、テンキー、決定ボタン、登録開始ボタン、ストップボタンなどを含み、利用者による操作に応じた操作指示情報を制御部１０７へ出力する。
１．３  無線基地局２５０、３００、３５０、４００・・・
無線基地局２５０、３００、３５０、４００・・・は、数キロメートルおきにビルの屋上などに設置されている。増幅装置、変復調装置、多重化装置などの各種情報処理装置から構成され、携帯電話１００と移動通信交換機７００との間で音声を含む各種の情報の送受信を行う。
【００７１】
また、無線基地局２５０、３００、３５０、４００・・・は、それぞれを一意に識別するセルＩＤを含む制御信号を常時送信している。更に、携帯電話１００へ着信の有無を通知するための着信通知信号を定期的に、本実施の形態では５．０秒おきに送信する。
また、携帯電話１００の位置登録のための制御信号を定期的に、本実施の形態では５．０秒おきに送信する。制御信号には、無線基地局２５０、３００、３５０、４００・・・を一意に識別するセルＩＤが含まれている。
１．４  移動通信交換機７００及び位置登録メモリ装置８００
移動通信交換機７００は、多重化装置、音声処理装置、などを備え、位置登録メモリ装置８００が携帯電話１００と対応付けて記憶している無線基地局を介して、携帯電話１００と携帯電話網との間で情報の送受信を行う。
【００７２】
位置登録メモリ装置８００は、携帯電話１００と携帯電話１００が存在するセルの無線基地局とを対応付けて記憶している。
無線基地局及び移動通信交換機７００を介して、携帯電話１００から位置登録要求及び携帯電話１００の選択した無線基地局の通知を受け付け、携帯電話１００と対応付けて記憶している無線基地局を変更する。
１．５  まとめ及び発明の効果
本実施の形態において、携帯電話１００は、通常の持ち受け中には、自基地局からの距離が距離閾値に達すると、携帯電話１００の移動方向と無線基地局の配置情報とから、次に携帯電話１００が自基地局とする無線基地局を選択し、選択した無線基地局を、移動通信交換機７００を介して位置登録メモリ装置８００へ通知する。このようにすることで、建物などによる電波の遮断などにより局所的に受信強度が弱くなる影響を受けて、位置登録が発生することを回避できる。
【００７３】
また、携帯電話１００は、通勤経路上の各地点の緯度及び経度とその地点の最近接基地局のセルＩＤとを対応付ける予備テーブル１７１を作成する。通勤経路上のセルの境界付近など、複数の無線基地局からの距離が等しくなる地域では、通勤経路上の各地点において最も近くに存在する無線接基地局が頻繁に変わる。従って、予備テーブル１７１上でも、セル境界付近の地点と対応する予備情報に含まれるセルＩＤは、頻繁に変わっている。制御部１０７は、予備テーブル１７１内で、直前の予備情報のセルＩＤと異なるセルＩＤを含む予備情報の示す地点Ｘから次に直前の予備情報のセルＩＤと異なるセルＩＤを含む予備情報の示す地点Ｙまでの通過地点を距離変数ｐを用いて計測する。
【００７４】
制御部１０７は受信間隔「５．０秒」おきに、ＧＰＳモジュール１０５から緯度及び経度を取得している。よって、ｐ＜１２であれば、地点Ｘから地点Ｙに到達するまでの所要時間は６０秒未満である。このとき、制御部１０７は、地点Ｘから地点Ｙの直前の地点までの各地点に対応する予備情報のセルＩＤを地点Ｘの直前の地点に対応する予備情報のセルＩＤに変更する。
【００７５】
その効果を、図１４に示す通勤経路３１を、登録する場合について考える。ここで、図１４は、複数の無線基地局Ａ〜Ｑの配置を示している。各無線基地局を囲む円は、それぞれの無線基地局により形成されるセルを示している。以下の説明で、無線基地局Ａにより形成されるセルをセルＡと呼称する。各基地局Ａ〜Ｑには、それぞれセルＩＤ「００Ａ」〜「００Ｑ」が割り当てられている。重複地域３３、３５、３６・・・は、複数のセルが重複している地域を示している。重複地域については、実施の形態２において説明する。
【００７６】
予備テーブル１７１の各予備情報は、上述したように通勤経路上の各地点の緯度及び経度と、各地点の最近接基地局のセルＩＤとを含んでいる。予備テーブル１７１に従って次に自基地局とする無線基地局を選択し、位置登録すると想定した場合、通勤経路上の各地点における自基地局は図１５（ａ）に示すように経路５１に沿ってＡ→Ｂ→Ａ→Ｂ・・・と変化する。経路５１は、通勤経路３１の一部を直線的に表したものであり、通勤経路３１上の地点ａ及び地点ｂは、それぞれ経路５１上の地点ａ及び地点ｂと対応している。このとき、図１５（ｂ）に示すように位置登録５３、５４、５５・・・が発生すると予測される。図１５（ｂ）は、予備テーブル１７１の各予備情報と経路５１上の各地点とを対応付けて示しており、図中の数字は、各予備情報に含まれる番号である。例えば、地点ａは、番号４の予備情報と対応しており、地点ｂは番号６の予備情報と対応している。
【００７７】
図１４に示す様に、地点ａから地点ｂの間（以下、区間ａｂと呼称する）は、基地局Ａ、基地局Ｂ及び基地局Ｅからの距離がほぼ等しい区間である。このため、図１５（ｂ）に示すように区間ａｂでは、位置登録が頻繁に発生すると予測される。番号４と対応する地点ａで位置登録が起こってから、番号６と対応する地点ｂで位置登録が起こるまでに、携帯電話１００は、番号５及び６と対応する２地点を通過する。制御部１０７は、５．０秒おきに緯度及び経度を取得しているので、番号４の地点から番号６の地点までの経過時間は、１０秒である。位置登録の間隔が６０秒、すなわち、１２地点を通過する時間未満であるので、制御部１０７は、番号４の地点での位置登録５３を省略するように、予備テーブル１７１を変更する。具体的には、番号４及び５の予備情報のセルＩＤを番号３の予備情報のセルＩＤ「００Ａ」に書き換える。
【００７８】
同様にして番号６〜番号７間、番号７〜番号８間、番号８〜番号９間、番号９〜番号２６間についても、位置登録の間隔を判別し、番号６、7、８と対応する地点での位置登録５４、５５、５６を省略するように、予備テーブル１７１を変更する。
変更後の予備テーブルに従って自基地局を選択すると想定すると、図１５（ｃ）に示すように、自基地局は、Ａ→Ｂ→Ｃ→・・・と変化する。このとき、図１５（ｄ）に示すように、区間ａｂでの位置登録は、位置登録５７の１回のみである。
【００７９】
このように、通勤経路３１上において、セルの境界に沿っている部分が存在しても、位置登録が頻繁に起こることを回避することができる。
このときの、区間ａｂでの携帯電話１００の消費電流の削減量を概算する。
携帯電話１００の位置登録動作中の平均消費電流は２０５ｍＡ、位置登録動作の所要時間を３．０秒とする。位置登録動作以外の通常の待ち受け中の携帯電話１００の平均消費電流を５ｍＡとする。区間ａｂの通過時間は２５秒、図１５（ｂ）に示す位置登録回数は５回、図１５（ｄ）に示す位置登録回数は１回である。図１５（ｂ）に示すように位置登録が発生すると、携帯電話１００の消費電流は、
２０５×（１５／２５）＋５×（１０／２５）＝１２５ｍＡ
となる。
【００８０】
図１５（ｂ）に示すように位置登録が発生すると、携帯電話１００の消費電流は、
２０５×（３／２５）＋５×（２２／２５）＝２９ｍＡ
となり、区間ａｂでは、消費電流を約１／４に押さえることができる。
このように、本発明は、携帯電話１００の位置登録の回数を削減することにより、消費電力を削減することができる。
１．６  実施の形態１の変形例
実施の形態１において、携帯電話１００は、無線基地局の配置情報を記憶しているとしたが、一般に、無線基地局を管理している通信事業者からこのような情報は公開されていない。
【００８１】
無線基地局の配置情報が公開されていない場合、以下のようにして、通勤経路上での位置登録の回数を削減してもよい。なお、この場合、携帯電話１００は、通常の待ち受け状態において、従来、知られているように、無線基地局からの制御信号の受信強度により、次に自基地局とする無線基地局を選択し、選択した無線基地局を位置登録制御メモリ装置８００に通知する。続いて、記憶部１１０の自基地局セルＩＤ１６６を更新する。
【００８２】
制御部１０７は、キー１１２から、登録開始ボタンの押下を示す操作指示情報を受け取る。次に、カウンタＣを０に初期化する。現在地情報１６０及び前位置情報１６４が更新されると、カウンタＣに１加算する。次に、記憶部１１０から、現在自基地局としている無線基地局のセルＩＤである自基地局セルＩＤ１６６を読み出す。
カウンタＣの値を番号とし、読み出した自基地局セルＩＤ１６６をセルＩＤとして、番号、取得した緯度及び経度、セルＩＤからなる予備情報を記憶部１１０に書き込む。キー１１２から、ストップボタンの押下を示す操作指示情報を受け取るまで、現在地情報１６０及び前位置情報１６４が更新される度に、自基地局セルＩＤ１６６の読み出し、予備情報の書き込みを繰り返し予備テーブル１７１を生成する。
【００８３】
以降、実施の形態１と同様にして、予備テーブルを編集し、経路テーブル１４０を生成する。
このようにして、基地局情報がない場合においても、経路テーブル１４０を生成し、生成した経路テーブル１４０に従って自基地局とする無線基地局を選択し、位置登録を行うことにより、通勤経路上で位置登録が頻発することを回避できる。
２．実施の形態２
本発明に係る実施の形態２の携帯電話システム２について以下に説明する。
２．１  携帯電話システム２
携帯電話システム２は、携帯電話１００ｂ、無線基地局２５０、３００、３５０、４００・・・、ＧＰＳ衛星１２、１３・・・１４、移動通信交換機７００、位置登録メモリ８００及び基地局情報サーバ６００ｂから構成される。
【００８４】
無線基地局２５０、３００、３５０、４００・・・、ＧＰＳ衛星１２、１３・・・１４、無線通信交換機７００及び位置登録メモリ装置８００については、実施の形態１と同様であるので説明を省略する。
基地局情報サーバ６００ｂは、複数のセルが重複している地域（以下、重複地域と呼称する）に関する情報を記憶している。重複地域では、複数の無線基地局からの制御信号の受信強度が何れも同程度に弱く、位置登録が頻繁に起こる。無線基地局の追加又は撤去に伴い、重複地域が増加、減少又は移動すると、基地局情報サーバ６００ｂは、増加、減少又は移動した重複地域に関する情報を含む更新情報を生成し、生成した更新情報をインターネット２０、携帯電話網１５、通信制御局２５及び基地局を介して携帯電話１００へ送信する。
【００８５】
携帯電話１００ｂは、出荷時に予め、重複地域に関する情報を記憶している。基地局情報サーバ６００ｂから、更新情報を受け取ると、受け取った更新情報に基づいて、自身の記憶している重複地域に関する情報を更新する。
携帯電話１００は、強度閾値を記憶しており、待ち受け状態において、自基地局からの制御信号の受信強度が強度閾値以下になると、周辺の無線基地局からの制御部信号の受信強度を比較し、最も受信強度の強い制御信号を送信する無線基地局を次の自基地局として選択し、位置登録する。
【００８６】
また、ＧＰＳ衛星１２、１３・・・１４から測距信号を受信し、受信した測距信号を基に、携帯電話１００ｂの存在する位置の緯度及び経度を算出する。算出した緯度及び経度の示す地点が重複地域に含まれる場合、携帯電話１００は、強度閾値を引き下げる。
２．２  携帯電話１００ｂ
携帯電話１００ｂは、アンテナ１１５、ＷＣＤＭＡ−ＲＦ回路１０１、ＷＣＤＭＡベースバンド回路１０２、アンテナ１１６、ＧＰＳモジュール１０５、制御部１０７ｂ、記憶部１１０ｂ、スピーカ１０８、マイク１０９、時計部１０６、ＬＣＤ１１３及びキー１１２から構成される。アンテナ１１５、ＷＣＤＭＡ−ＲＦ回路１０１、ＷＣＤＭＡベースバンド回路１０２、アンテナ１１６、ＧＰＳモジュール１０５、スピーカ１０８、マイク１０９、時計部１０６、ＬＣＤ１１３及びキー１１２の構成及び動作は実施の形態１と同様であるので説明を省略する。
（１）記憶部１１０ｂ
記憶部１１０ｂは、ＥＥＰＲＯＭ、ＳＲＡＭなどから構成され、一例として、現在地情報１６０、重複地域テーブル１８０、通常閾値及び重複地域閾値を記憶している。現在地情報１６０は実施の形態１と同様であるので説明を省略する。
【００８７】
重複地域テーブル１８０は、図１６に示すように複数の重複地域情報１８１、１８２、１８３・・・を含み、各重複地域情報は、識別番号と中心位置と半径から構成される。識別番号は、各重複地域と対応した識別情報である。中心位置は、識別番号と対応する重複地域の中心地点を示す中心緯度及び中心経度からなる。半径は、重複地域のおよその半径であり、重複しているセルの各基地局からの電波の受信強度が均衡している範囲を示している。
【００８８】
通常閾値は、携帯電話１００ｂが、重複地域外に存在するときに、制御部１０７ｂが強度閾値（後述する）に設定する閾値である。重複地域閾値は、携帯電話１００ｂが重複地域内に存在するときに制御部１０７ｂが強度閾値に設定する閾値であり、
通常閾値＞重複地域閾値
を満たす。
【００８９】
（２）制御部１０７ｂ
制御部１０７ｂは、具体的にはマイクロプロセッサ、ＲＡＭ、ＲＯＭを含んで構成され、ＲＡＭ、ＲＯＭにはコンピュータプログラムが記憶されている。マイクロプロセッサが、このコンピュータプログラムに従って動作することにより、制御部１０７ｂは、その機能を達成する。
【００９０】
制御部１０７は、受信間隔「５．０秒」、位置フラグ及び強度閾値を記憶している。
受信間隔「５．０秒」は、待ち受け状態において、制御部１０７ｂが自基地局からの着信の有無を含む着信通知信号を受信し、着信の有無を確認する時間間隔である。制御部１０７ｂは受信間隔おきに、自基地局からの着信通知信号を受信し、着信の有無を確認する。このように、定期的に着信通知信号を受信し、着信の有無を確認することを一般に間欠受信と言う。間欠受信のタイミングに合わせて、制御部１０７ｂは、ＧＰＳモジュール１０５に緯度及び経度の算出を指示する。ＧＰＳモジュール１０５から緯度及び経度を受け取り、受け取った緯度及び経度により、記憶部１１０ｂの記憶している現在地情報１６０の現在緯度１６１及び現在経度１６２を更新する。
【００９１】
位置フラグ「０」は、携帯電話１００ｂが重複地域外に存在していることを示しており、位置フラグ「ｘ」は、携帯電話１００ｂが識別番号ｘと対応する重複地域内に存在していることを示している。ｘは１以上の整数であり、重複地域テーブル１８０内の何れかの識別番号と一致する。
強度閾値は、自基地局の変更を行うか否かを判断する基準値であり、自基地局からの制御信号の受信強度が強度閾値を下回ると、周辺の無線基地局の中から最も受信強度の強い無線基地局を選択し、位置登録を行う。このような無線基地局の選択方法及び位置登録は公知の技術であるので、詳細な説明を省略する。
【００９２】
制御部１０７ｂの待ち受け中の処理について、図１７〜図１８に示すフローチャートを用いて説明する。
現在地情報１６０が更新されると（ステップＳ２７１）、制御部１０７ｂは、自身が記憶している位置フラグを判別し（ステップＳ２７４）、位置フラグが「０」であれば（ステップＳ２７４の「０」）、以下のステップＳ２７６〜ステップＳ２９３の処理を繰り返すことにより、現在地情報１６０の示す地点に最も近い重複地域と対応する重複地域情報を選択する。この際に、制御部１０７ｂは、現在地情報１６０に最も近い重複地域の重複地域情報である可能性のある重複地域の識別番号を、候補ＩＤとして一時的に記憶する。
【００９３】
まず、距離変数Ｓを１００ｋｍに初期化する（ステップＳ２７６）。距離変数Ｓは、現在地情報１６０の示す地点と重複地域情報により示される地点との距離を格納する変数である。
次に、重複地域テーブル１８０から、重複地域情報を読み出す（ステップＳ２７７）。ここで、全ての重複地域情報を読み出し終えていれば（ステップＳ２７９のＹＥＳ）、ステップＳ２９６へ処理を移す。全ての重複地域情報を読み出し終えていなければ（ステップＳ２７９のＮＯ）、次に、現在地情報１６０の示す地点と読み出した重複地域情報の中心位置の示す地点との距離を算出し（ステップＳ２８１）、算出した距離と距離変数Ｓとを比較する（ステップＳ２９１）。算出した距離が距離変数Ｓ以上であれば（ステップＳ２９１のＮＯ）、ステップＳ２７７へ戻る。算出した距離が距離変数Ｓ未満であれば（ステップＳ２９１のＹＥＳ）、算出した距離を距離変数Ｓに代入する（ステップＳ１９２）。次に、読み出した重複地域情報に含まれる識別番号により候補ＩＤを上書きする（ステップＳ２９３）。次に、ステップＳ２７７へ戻る。
【００９４】
ステップＳ２７９において、全ての重複地域情報を読み出し終えていると判断すると、重複地域テーブル１８０から候補ＩＤと同じ識別番号を含む重複地域情報を選択し、選択した重複地域情報から半径を抽出する（ステップＳ２９６）。抽出した半径と距離変数Ｓとを比較し（ステップＳ２９７）、Ｓ≦半径であれば（ステップＳ２９７）、携帯電話１００ｂが候補ＩＤと対応する重複地域に入ったと判断し、候補ＩＤを位置フラグに設定し（ステップＳ２９８）、重複地域閾値を強度閾値に設定する（ステップＳ２９９）。次に、ステップＳ３０７へ処理を移す。
【００９５】
Ｓ＞半径であれば（ステップＳ２９７のＮＯ）、そのままステップＳ３０７へ処理を移す。
ステップＳ２７４において、位置フラグが「ｘ」であると判断すると、識別番号「ｘ」の重複地域情報を選択し、選択した重複地域情報に含まれる中心位置と半径とを読み出す（ステップＳ３０１）。
【００９６】
次に、読み出した中心位置の示す地点と現在地情報１６０の示す地点との距離を算出し（ステップＳ３０２）、算出した距離と、選択した重複地域情報に含まれる半径とを比較する（ステップＳ３０３）。
算出した距離≦半径であれば（ステップＳ３０３のＮＯ）、携帯電話１００ｂが、依然として識別番号「ｘ」と対応する重複地域内に存在するものとして、そのまま、ステップＳ３０７へ処理を移す
算出した距離＞半径であれば（ステップＳ３０３のＹＥＳ）、携帯電話１００ｂが、識別番号「ｘ」と対応する重複地域外へ出たものとして、位置フラグを「０」に変更する（ステップＳ３０４）。次に、記憶部１１０ｂから通常閾値を読み出し、制御部１０７ｂの記憶している強度閾値に読み出した通常閾値を代入する（ステップＳ３０６）。
【００９７】
次に、間欠受信において受信した制御信号の受信強度と強度閾値とを比較し（ステップＳ３０７）、受信強度≧強度閾値であれば、ステップＳ２７１へ戻る。
受信強度＜強度閾値であれば、周囲の基地局からの制御信号の受信強度により次に自基地局とする無線基地局を選択し、位置登録を行い（ステップＳ３０８）、ステップＳ２７１へ戻る。
２．３  まとめ及び発明の効果
実施の形態２において、携帯電話１００ｂは、自基地局からの制御信号の受信強度が強度閾値以下になると、周囲の無線基地局からの制御信号の受信強度により次に自基地局とする無線基地局を選択し、位置登録を行う。また、予め重複地域テーブル１８０を記憶しており、携帯電話１００ｂ自身の位置が重複地域内か否かを判断し、重複地域内であれば強度閾値を引き下げる。
【００９８】
重複地域内では、複数の無線基地局からの制御信号の受信強度が何れも同程度に弱く、位置登録が頻繁に起こる可能性がある。図１４の重複地域３３を例にすると、重複地域３３は、セルＩ、Ｊ、Ｎが重複しており、無線基地局Ｉ、Ｊ、Ｎからの距離がほぼ等しい。図１９は、重複地域３３を拡大した図であり曲線４１ａ、４２ａ、４３ａは、それぞれセルＩ、Ｊ、Ｎの境界である。破線４１ｂは、無線基地局Ｉからの受信強度が通常閾値になる地点を結んだものであり、破線４２ｂは、無線基地局Ｊからの受信強度が通常閾値になる地点を結んだものであり、破線４３ｂは、無線基地局Ｎからの受信強度が通常閾値になる地点を結んだものである。点線４１ｃは、無線基地局Ｉからの受信強度が重複地域閾値になる地点を結んだものであり、点線４２ｃは、無線基地局Ｊからの受信強度が重複地域閾値になる地点を結んだものであり、点線４３ｃは、基地局Ｎからの受信強度が重複地域閾値になる地点を結んだものである。
【００９９】
強度閾値を通常閾値に設定した場合、破線４１ｂ、４２ｂ、４３ｂで囲まれる地域４５内は、何れの無線基地局からの電波も、その受信強度が強度閾値未満であり、自基地局とする無線基地局の選択の動作及び位置登録が頻繁に発生する。
強度閾値を重複地域閾値に設定した場合、破線４１ｃ、４２ｃ、４３ｃで囲まれる地域４６内は、何れの無線基地局からの電波も、その受信強度が強度閾値未満であり、自基地局とする無線基地局の選択の動作及び位置登録が頻繁に発生する。
【０１００】
地域４５と地域４６とを比較することで分かるように、強度閾値を低くすることにより、位置登録が頻繁に起こる地域が狭くなる。
３．実施の形態３
本発明に係る携帯電話システム３について説明する。
３．１  携帯電話システム３
携帯電話システム３は、携帯電話２００、無線基地局２５０、３００、３５０、４００・・・、ＧＰＳ衛星１２、１３・・・１４、移動通信交換機７００及び位置登録メモリ装置８００から構成される。
【０１０１】
無線基地局２５０、３００、３５０、４００・・・、ＧＰＳ衛星１２、１３・・・１４、移動通信交換機７００及び位置登録メモリ装置８００は、実施の形態１と同様であるので、説明を省略する。
携帯電話２００は、実施の形態１及び２の携帯電話１００及び１００ｂと同様に、ＷＣＤＭＡ方式により音声を含む各種情報の送受信を行う。
【０１０２】
待ち受け状態では、定期的に自基地局からの着信通知信号を受信し、着信の有無を確認する。また、着信通知信号と合わせて、自基地局のセルＩＤを含む制御信号を受信し、受信した制御信号の受信強度が、強度閾値を下回ると、周囲の無線基地局からの制御信号の受信強度を比較し、最も受信強度の強い制御信号を送信する無線基地局を次の自基地局として選択し、位置登録を行う。
【０１０３】
また、間欠受信のタイミングに合わせて、携帯電話２００は、定期的にＧＰＳ衛星を利用して、自身の存在位置及び移動速度を算出する。算出した移動速度が一定以上になると、携帯電話２００は、位置登録の頻度を抑制する。
３．２  携帯電話２００
携帯電話２００は、アンテナ２１５、ＷＣＤＭＡ−ＲＦ回路２０１、ＷＣＤＭＡベースバンド回路２０２、アンテナ２１６、ＧＰＳモジュール２０５、制御部２０７、記憶部２１０、スピーカ２０８、マイク２０９、時計２０６、ＬＣＤ２１３及びキー２１２から構成される。
【０１０４】
アンテナ２１５、ＷＣＤＭＡ−ＲＦ回路２０１、ＷＣＤＭＡベースバンド回路２０２、アンテナ２１６、ＧＰＳモジュール２０５、スピーカ２０８、マイク２０９、時計２０６、ＬＣＤ２１３及びキー２１２の構成及び動作は、実施の形態１のアンテナ１１５、ＷＣＤＭＡ−ＲＦ回路１０１、ＷＣＤＭＡベースバンド回路１０２、アンテナ１１６、ＧＰＳモジュール１０５、スピーカ１０８、マイク１０９、時計部１０６、ＬＣＤ１１３及びキー１１２と同様であるので、説明を省略する。
（１）記憶部２１０
記憶部２１０は、前位置情報及び現在地情報を記憶している。現在地情報及び前位置情報は、実施の形態１の現在地情報１６０及び前位置情報１６３と同様である。
（２）制御部２０７
制御部２０７は、具体的にはマイクロプロセッサ、ＲＡＭ、ＲＯＭを含んで構成され、ＲＡＭ及びＲＯＭには、コンピュータプログラムが記憶されている。マイクロプロセッサがこれらのコンピュータプログラムに従って動作することにより、制御部２０７はその機能を達成する。
【０１０５】
制御部２０７は、受信間隔「５．０秒」、第１時間閾値「１．５分」、第２時間閾値「２．０分」、第３時間閾値「２．５分」及び第４時間閾値「３．５分」を記憶している。また、時間を計測するｔｉｍｅカウンタを備えている。
受信間隔「５．０秒」は、間欠受信を行う時間間隔である。間欠受信のタイミングに合わせて、制御部２０７は、ＧＰＳモジュール２０５へ緯度及び経度の算出を指示し、ＧＰＳモジュール２０５から緯度及び経度を取得する。緯度及び経度を取得すると、現在地情報に含まれる現在緯度及び現在経度より前位置情報に含まれる前緯度及び前経度を更新する。次に、取得した緯度及び経度により、現在地情報の現在緯度及び現在経度を更新する。
【０１０６】
第１時間閾値「１．５分」は、携帯電話２００の移動速度が２５０ｋｍ／ｈ以上のときの位置登録の間隔の閾値であり、制御部２０７は、前回の位置登録からの経過時間が第１時間閾値「１．５分」を超えるまで、位置登録を行わない。
第２時間閾値「２・０分」は、携帯電話２００の移動速度が２００〜２５０ｋｍ／ｈのときの位置登録の間隔の閾値であり、制御部２０７は、前回の位置登録からの経過時間が第２時間閾値「２．０分」を超えるまで、位置登録を行わない。
【０１０７】
第３時間閾値「２．５分」は、携帯電話２００の移動速度が１５０〜２００ｋｍ／ｈのときの位置登録の間隔の閾値であり、制御部２０７は、前回の位置登録からの経過時間が第３時間閾値「２．５分」を超えるまで、位置登録を行わない。
第４時間閾値「３・５分」は、携帯電話２００の移動速度が１００〜１５０ｋｍ／ｈのときの位置登録の間隔の閾値であり、制御部２０７は、前回の位置登録からの経過時間が第４時間閾値「３．５分」を超えるまで、位置登録を行わない。
【０１０８】
制御部２０７による待ち受け時の処理について、図２０に示すフローチャートを用いて説明する。
制御部２０７は、間欠受信のタイミングに合わせて、現在地情報及び前位置情報が更新されると（ステップＳ３２１のＹＥＳ）、前位置情報の示す地点と現在地情報の示す地点との距離を算出し、算出した距離を受信間隔「５．０秒」で割り、携帯電話２００の速度を算出する（ステップＳ３２４）。
【０１０９】
算出した速度が２５０ｋｍ／ｈ以上の場合（ステップＳ３２６の２５０ｋｍ／ｈ以上）、ｔｉｍｅカウンタと第１時間閾値「１．５分」とを比較し（ステップＳ３２７）、ｔｉｍｅカウンタ≧１．５分であれば、ステップＳ３３２へ処理を移す。ｔｉｍｅカウンタ＜１．５分であれば（ステップＳ３２７のＮＯ）、ステップＳ３２１へ戻る。
算出した速度が２００ｋｍ／ｈ以上、２５０ｋｍ／ｈ未満の場合（ステップＳ３２６の２００ｋｍ／ｈ以上）、ｔｉｍｅカウンタと第２時間閾値「２．０分」とを比較し（ステップＳ３２８）、ｔｉｍｅカウンタ≧２．０分であれば、ステップＳ３３２へ処理を移す。ｔｉｍｅカウンタ＜２．０分であれば（ステップＳ３２８のＮＯ）、ステップＳ３２１へ戻る。
【０１１０】
算出した速度が１５０ｋｍ／ｈ以上、２００ｋｍ／ｈ未満の場合（ステップＳ３２６の１５０ｋｍ／ｈ以上）、ｔｉｍｅカウンタと第３時間閾値「２．５分」とを比較し（ステップＳ３２９）、ｔｉｍｅカウンタ≧２．５分であれば、ステップＳ３３２へ処理を移す。ｔｉｍｅカウンタ＜２．５分であれば（ステップＳ３２９のＮＯ）、ステップＳ３２１へ戻る。
【０１１１】
算出した速度が１００ｋｍ／ｈ以上、１５０ｋｍ／ｈ未満の場合（ステップＳ３２６の１００ｋｍ／ｈ以上）、ｔｉｍｅカウンタと第４時間閾値「３．５分」とを比較し（ステップＳ３３１）、ｔｉｍｅカウンタ≧３．５分であれば、ステップＳ３３２へ処理を移す。ｔｉｍｅカウンタ＜３．５分であれば（ステップＳ３３１のＮＯ）、ステップＳ３２１へ戻る。
【０１１２】
算出した速度が１００ｋｍ／ｈ未満であれば、そのままステップＳ３３２へ処理を移す。
次に、自基地局からの制御信号の受信強度と強度閾値とを比較し（ステップＳ３３２）、受信強度≧強度閾値であれば、そのまま、ステップＳ３２１へ戻る。
受信強度＜強度閾値であれば（ステップＳ３３２のＮＯ）、周囲の無線基地局からの制御信号の受信強度を比較することにより、次に自基地局とする無線基地局を選択し、位置登録を行う（ステップＳ３３４）。次に、ｔｉｍｅカウンタを０に初期化し、ステップＳ３２１へ戻る。
３．３  まとめ及び効果
実施の形態３の携帯電話システム３において、携帯電話３００は、ＧＰＳ１２、１３・・・１４からの測距信号を基に、自身の位置を取得し、取得した位置から移動速度を算出する。算出した移動速度に応じて位置登録の時間間隔を制限する。
【０１１３】
この携帯電話システム３による消費電流量の削減量を概算する。
１つのセルの直径を５ｋｍ、位置登録動作中の携帯電話２００の平均消費電流を２０５ｍＡ、位置登録動作の所要時間を３．０秒とする。位置登録動作以外の通常の待ち受け中の携帯電話２００の平均消費電流を５ｍＡとする。ここで、携帯電話２００を所持した利用者が、１００ｋｍ／ｈ以上の高速で移動するとき、利用者は、鉄道などの高速で移動する公共交通機関、高速道路を走行中の自動車などに乗車している。これらの交通機関及び高速道路の通過経路は、実際には蛇行しているが、セルの直径５ｋｍに対しては、十分直線的であると考えられる。よって、高速で移動する場合、携帯電話２００の通過する経路が図１５の経路４１のように、直線的であると想定する。
【０１１４】
携帯電話２００が時速２５０ｋｍで移動する場合、１つのセルを通過する時間は最大１．２分である。よって、通常、少なくとも１．２分に１回は位置登録が発生し、このときの、平均消費電流は、次式により、
２０５×（３／７２）＋５×（６９／７２）＝１３．３３ｍＡ
である。従って、時速２５０ｋｍで移動中の消費電流量は、少なくとも１３．３３ｍＡである。
【０１１５】
位置登録の間隔を１．５分に制限すると、平均消費電流は、
２０５×（３／９０）＋５×（８７／９０）＝１１．６７ｍＡ
となる。
よって、待ち受け状態の消費電流は、少なくとも１．６６ｍＡ減少することになる。
携帯電話２００が時速２００ｋｍで移動する場合、１つのセルを通過する時間は最大１．５分である。このため、通常、少なくとも１．５分に１回は位置登録が発生し、この場合の、平均消費電流は、
２０５×（３／９０）＋５×（８７／９０）＝１１．６７ｍＡ
となる。従って、時速２００ｋｍで移動中の消費電流量は、少なくとも１１．６７ｍＡになる。
【０１１６】
位置登録の間隔を２分に制限すると、平均消費電流は、
２０５×（３／１２０）＋５×（１１７／１２０）＝１０．０ｍＡ
となる。
よって、待ち受け状態の消費電流は、少なくとも１．６７ｍＡ減少する。
携帯電話２００が時速１５０ｋｍで移動する場合、１つのセルを通過する時間は最大２分である。このため、通常、少なくとも２分に１回は位置登録が発生し、このときの平均消費電流は、
２０５×（３／１２０）＋５×（１１７／１２０）＝１０．０ｍＡ
となる。従って、時速１５０ｋｍで移動中の消費電流量は、少なくとも１０．０ｍＡである。
【０１１７】
位置登録の間隔を２．５分に制限すると、平均消費電流は、
２０５×（３／１５０）＋５×（１４７／１５０）＝９．０ｍＡ
となる。
よって、待ち受け状態の消費電流は、少なくとも１．０ｍＡ減少する。
携帯電話２００が時速１００ｋｍで移動する場合、１つのセルを通過する時間は最大３．０分である。このため、通常、少なくとも３．０分に１回は位置登録が発生し、このときの平均消費電流は、
２０５×（３／１８０）＋５×（１７７／１８０）＝８．３ｍＡ
である。従って、時速１００ｋｍで移動中の消費電流量は、少なくとも１０．０ｍＡである。
【０１１８】
位置登録の間隔を３．５分に制限すると、平均消費電流は、次式により
２０５×（３／２１０）＋５×（２０７／２１０）＝７．８
７．８５ｍＡとなる。
よって、待ち受け状態の消費電流は、少なくとも０．５ｍＡ減少する。
上記のように、位置登録の間隔に制限を設けることにより消費電流量を削減することができる。
【０１１９】
なお、移動速度が１００ｋｍ未満の場合、携帯電話２００を所持した利用者の移動経路は、一般道に沿って複雑に蛇行していると考えられ、このため、携帯電話２００は、複雑かつ不定期にセルを移り変わる。このような場合に、位置登録に時間制限を設けると、位置登録メモリ装置８００に携帯電話２００と対応付けて記憶されている無線基地局と、携帯電話２００が実際に存在するセルの無線基地局とが異なる時間が長くなり、着信を検出できないという弊害が大きくなる。
４．その他の変形例
上記の実施の形態に基づいて説明してきたが、本発明は、これらに限るものではなく、以下の変形例も含む。
【０１２０】
（１）実施の形態１において、携帯電話１００は、現在地情報１６０と前位置情報１６３とを用いて、緯度及び経度の増減から進行方向を特定し、特定した方向と現在地情報１６０の示す位置からの距離により、次に自基地局となる無線基地局を選択しているが、利用者が同じ速度で進んでいるものとして、５．０秒後に携帯電話１００の存在する位置を予測し、予測した位置に最も近い無線基地局を次の自基地局として選択するとしてもよい。具体的には、
緯度差＝現在緯度−前緯度
経度差＝現在経度−前経度
を算出する。次に、
予測緯度＝現在緯度＋緯度差
予測経度＝現在経度＋経度差
を算出する。
【０１２１】
次に、基地局テーブル１２０から、予測緯度及び予測経度の示す地点に最も近い位置を示す設置情報を含む基地局情報を選出し、選出した基地局情報と対応する無線基地局を次の自基地局として選択する。
（２）  実施の形態１及び上記の変形例では、利用者が直線的に動いているものとして次の自基地局を選出しているが、曲線的に動いているとしても良い。
【０１２２】
一例として、携帯電話１００は、現在地情報１６０及び前位置情報１６３に変わって、位置情報１〜４を記憶している。位置情報１〜４は、それぞれ異なる時刻にＧＰＳモジュール１０５により算出された携帯電話１００の緯度及び経度であり、算出時刻は位置情報１から順に古く、位置情報４は最も最近算出された緯度及び経度である。
携帯電話１００は、各緯度情報を変数ｘの値、経度情報を変数ｙの値として、位置情報１〜４の示す４点により定義される変数ｘによる変数ｙの関数３次関数を生成する。携帯電話１００が生成した３次関数の曲線に沿って移動しているとして、携帯電話１００の存在する地点を予測し、予測した地点に最も近い無線基地局を次の自基地局として選択する。
（３）  実施の形態１において、予備テーブル１７１の各予備情報は、当該予備情報生成した時刻を含んでいるとしてもよい。
【０１２３】
この場合、予備テーブルの生成の際に、制御部１０７は、現在地情報及び前位置情報が更新されると、時計部１０６から時刻を取得し、番号に代わって時刻を書き込む。
予備テーブルの編集の際には、制御部１０７は、予備テーブル１７１内で、通勤経路上において、直前の予備情報のセルＩＤと異なるセルＩＤを含む予備情報の示す地点Ｘから、次に直前の予備情報のセルＩＤと異なるセルＩＤを含む予備情報の示す地点Ｙまでの所要時間を各予備情報に含まれる時刻から算出し、算出した所要時間が６０秒未満であれば、地点Ｘから地点Ｙの直前までの各地点に対応する予備情報を地点Ｘの直前の地点と対応する予備情報のセルＩＤに変更してする。
（４）  実施の形態１及び変形例では、利用者のボタン操作により通勤経路の登録を行っているが、携帯電話１００が、予め、鉄道、バスのように決められた経路を運行する交通機関の通過経路と、通過経路上で携帯電話１００が自基地局に選択する無線基地局のセルＩＤを対応付けて記憶しているとしてもよい。
【０１２４】
また、このような情報を基地局情報サーバ６００が記憶しており、インターネット２０を介して、携帯電話１００へ送信するとしても良い。その際、利用者が、よく利用する路線を選択できるようにしてもよい。
（５）  また、利用者のボタン操作を伴わずに、通勤経路登録を行うとしても良い。
具体的には、携帯電話１００は、一週間にわたり、時刻と携帯電話１００の存在する位置の緯度及び経度とその時刻での自基地局のセルＩＤとを対応付けて記憶する。一週間経過すると、時刻、緯度経度、セルＩＤの記憶を一旦停止する。
【０１２５】
携帯電話１００が、充電状態になると、以下のようにして蓄積したデータを解析し、経路テーブルを生成する。
蓄積したデータを先頭から（時刻の順に）サーチし、連続して一時間以上、ほぼ同一の位置を示す緯度経度が連続する部分を検出する。この部分は、携帯電話１００は、ほとんど移動しておらず、利用者が移動中ではないと判断できるので、データを削除する。次に、±１０ｍの範囲で一致する地点が、連続して２００地点以上続く部分を抽出する。２００地点以上連続して一致する部分が、蓄積したデータ内で５回以上存在する場合、この連続した部分を１つの経路として抽出する。
【０１２６】
蓄積したデータ内に２００地点連続して一致する部分が５回存在する場合、抽出した経路上の各地点において、緯度及び経度の５回分の平均値を算出し、５回分のセルＩＤのうち、最も数の多いものを１個選択し、算出した緯度及び経度の平均値と選択したセルＩＤと経路上のスタート地点からの順番を予備情報とする。２００地点全てにおいて、予備情報を生成し、生成した予備情報を記憶部２１０に書き込む。これを実施の形態１で説明した予備テーブルとする。次に、予備テーブルを編集し、経路テーブルを生成する。経路テーブルを生成し終わった場合又は、蓄積したデータから経路が抽出されなかった場合、蓄積したデータを削除する。
（６）  上記の（５）において、携帯電話１００のメモリ容量に応じてデータの蓄積期間、連続して一致する部分の繰り返し回数を減少させてもよい。
【０１２７】
また、連続して一時間以上、ほぼ同一の位置を示す緯度経度が連続すると、その部分のデータをそのつど削除し、無駄なデータの蓄積をしないようにしてもよい。
（８）  実施の形態１において、制御部１０７は、通勤モードの動作中、現在地情報と最も近い通過点情報を選択し、選択した通過点情報に含まれるセルＩＤと記憶部１１０に記憶されている自基地局セルＩＤ１６６とを比較し、位置登録を行うか否かを判断している。
【０１２８】
しかし、通勤経路上で選択した通過点情報の示す地点の直前の地点と対応する通過点情報のセルＩＤとを比較してもよい。選択した通過点情報に含まれるセルＩＤと、選択した通過点情報の示す地点の直前の地点と対応する通過点情報のセルＩＤとが一致すれば、位置登録を行わないと判断し、一致すれば位置登録を行うと判断する。
（９）  実施の形態２において、制御部２０７は、携帯電話２００が重複地域内に存在すると判断すると、強度閾値を低くすることで、位置登録の頻度が高くなる地域が狭くなるようしているが、重複地域内での位置登録の回数又は位置登録の間隔に制限を設けてもよい。
【０１２９】
具体的には、位置登録の回数に制限を設ける場合、制御部２０７は、位置登録の回数を計測する回数カウンタを備える。位置フラグを「０」から「ｘ」に変更すると、回数カウンタを０に初期化する。自基地局からの受信強度が強度閾値を下回ると、回数カウンタが所定値（例えば５）未満であれば、位置登録を行う。位置登録を行うと回数カウンタに１加算する。
【０１３０】
回数カウンタが５であれば、位置登録を行わない。
また、位置登録の間隔に制限を設ける場合、制御部２０７は、登録間隔「６０秒」を記憶しており、時間を計測するｔｉｍｅカウンタを備えている。
自基地局からの受信強度が、強度閾値を下回ると、制御部２０７は、位置フラグを判別し、位置フラグが「０」の場合、位置登録を行う。
【０１３１】
位置フラグが「ｘ」の場合、ｔｉｍｅカウンタが停止中であれば、位置登録を行う。位置登録を行うと、ｔｉｍｅカウンタを０に初期化し、時間の計測を開始させる。
位置フラグが「ｘ」で、ｔｉｍｅカウンタが時間の計測中の場合、ｔｉｍｅカウンタが６０秒以上であれば、位置登録を行う。位置登録を行うと、ｔｉｍｅカウンタを０に初期化する。
【０１３２】
ｔｉｍｅカウンタが６０秒未満であれば、位置登録を省略する。
また、位置フラグを「ｘ」から「０」に変更する際、ｔｉｍｅカウンタを停止させる。
（１０）実施に形態３において、携帯電話２００は、携帯電話２００自身の移動速度に応じて位置登録の時間間隔に制限を設けている。
しかし、時間間隔を長く設定しすぎたり、セルが頻繁に変わるような経路を通過すると、位置登録メモリ装置の記憶している携帯電話２００の自基地局と、携帯電話２００が実際に存在するセルの無線基地局が食い違い、着信を検出できない時間が長くなるという弊害が発生する可能性がある。
【０１３３】
特に、都市部では、セルの直径が短く約２ｋｍ程度であり、携帯電話２００は頻繁にセルを移り変わる。そこで、携帯電話２００が、都市部を通過中は時間制限をより短く設定するとしてもよい。
この場合、携帯電話２００は、都市部の位置を示す情報を予め記憶している。都市部の位置を示す情報は、例えば北緯３２°２０’３０”〜３３°０５’０２”、東経１３４°１０’１０”〜１３４度５０’５０”といった緯度範囲及び経度範囲であってもよいし、都市部とそれ以外の地域との境界線を表す曲線の関数などであってもよい。
【０１３４】
制御部２０７は、ＧＰＳモジュール２０５から取得した緯度及び経度の示す地点が都市部に含まれるか否かを判断し、都市部であれば、第１〜第４時間閾値に変わって、第１〜第４時間閾値を０．９した値を、第１〜第４時間閾値に設定する。
（１１）上記の実施の形態及び変形例において、携帯電話は、間欠受信の度に自身の存在する位置の緯度及び経度を算出するとしているが、間欠受信の２回に１回、４回に１回というように、回数を減らしてもよい。
【０１３５】
回数を減らすことにより、携帯電話の行う処理負荷を軽減することができる。
（１２）本発明は、上記の実施の形態１〜３及び変形例を実行する方法であってもよい。
（１３）また、これらの方法をコンピュータにより実現するコンピュータプログラムであるとしてもよいし、前記コンピュータプログラムからなるデジタル信号であるとしてもよい。
【０１３６】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記コンピュータプログラム又は前記デジタル信号であるとしてもよい。
【０１３７】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１３８】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１４）上記実施の形態及び上記変形例をそれぞれ組み合わせるとしてもよい。
【産業上の利用可能性】
【０１３９】
本発明は、携帯電話を製造し販売する産業、移動通信サービスを提供する産業において、経営的、反復的、継続的に使用される。
【図面の簡単な説明】
【０１４０】
【図１】携帯電話システム１の構成を示す構成図である。
【図２】携帯電話１００の構成を示すブロック図である。
【図３】記憶部１１０に記憶されている情報の一例を示す。
【図４】基地局テーブル１２０及び経路テーブル１４０の詳細を示す。
【図５】予備テーブル１７１の詳細を示す。
【図６】制御部１０７による予備テーブル生成動作を示すフローチャートである。
【図７】制御部１０７による予備テーブル編集動作を示すフローチャートである。
【図８】制御部１０７による待受中の処理を示すフローチャートである。
【図９】制御部１０７による待受中の処理を示すフローチャートである。図８から続く。
【図１０】制御部１０７による待受中の処理を示すフローチャートである。図８から続く。
【図１１】制御部１０７による待受中の処理を示すフローチャートである。図８から続く。
【図１２】制御部１０７の通勤モードの動作を示すフローチャートである。
【図１３】制御部１０７の通勤モードの動作を示すフローチャートである。図１２から続く。
【図１４】無線基地局の配置及び通勤経路の一例を示す。
【図１５】実施の形態１による効果を説明する図である。
【図１６】重複地域テーブル１８０の詳細を示す。
【図１７】制御部１０７ｂによる待受中の処理を示すフローチャートである。
【図１８】制御部１０７ｂによる待受中の処理を示すフローチャートである。
【図１９】実施の形態２による効果を説明する図である。
【図２０】制御部２０７による待受中の処理を示すフローチャートである。
【符号の説明】
【０１４１】
１２    ＧＰＳ衛星
１５    携帯電話網
２０    インターネット
１００    携帯電話
１０１    ＷＣＤＭＡ−ＲＦ回路
１０２    ＷＣＤＭＡベースバンド回路
１０５    ＧＰＳモジュール
１０６    時計
１０７    制御部
１０８    スピーカ
１０９    マイク
１１０    記憶部
１１２    キー
１１３    ＬＣＤ
１１５    アンテナ
１１６    アンテナ
２５０    無線基地局
６００    基地局情報サーバ
７００    移動通信交換機
８００    位置登録メモリ装置
【図１】
2006060710.tif 000003
【図２】
2006060710.tif 000004
【図３】
2006060710.tif 000005
【図４】
2006060710.tif 000006
【図５】
2006060710.tif 000007
【図６】
2006060710.tif 000008
【図７】
2006060710.tif 000009
【図８】
2006060710.tif 000010
【図９】
2006060710.tif 000011
【図１０】
2006060710.tif 000012
【図１１】
2006060710.tif 000013
【図１２】
2006060710.tif 000014
【図１３】
2006060710.tif 000015
【図１４】
2006060710.tif 000016
【図１５】
2006060710.tif 000017
【図１６】
2006060710.tif 000018
【図１７】
2006060710.tif 000019
【図１８】
2006060710.tif 000020
【図１９】
2006060710.tif 000021
【図２０】
2006060710.tif 000022